(57)【要約】      （修正有）【課題】コンタクトレンズの視力矯正機能に影響を与えずに、カラーパターンステッカーによりコンタクトレンズの付加機能を増し、コンタクトレンズの実用性を増し、このほか、コンタクトレンズ装着時に、パターン層の装飾パターンが瞳の虹膜位置に対応し、使用者の虹膜がパターン層の装飾パターンにより虹膜の形状、大きさ及び色と模様が変えられるコンタクトレンズ用カラーパターンステッカーを提供する。【解決手段】このコンタクトレンズ用カラーパターンステッカー１は、コンタクトレンズ２に組み合わせて使用され、吸着層１０とパターン層２０を具え、吸着層の一側はコンタクトレンズの表面に吸着し、もう一側は装飾パターン２１を具えたパターン層に接続されて、吸着層がパターン層とコンタクトレンズの間に位置づけられる。使用者はコンタクトレンズを装着する前に、自分の好みの装飾パターンを選択して、吸着層によりカラーパターンステッカーをコンタクトレンズの一側に吸着する。【選択図】図２Ａ
0003194754.tif 000002
【実用新案登録請求の範囲】
【請求項１】
コンタクトレンズに組み合わせて使用されるコンタクトレンズ用カラーパターンステッカーにおいて、
上述のコンタクトレンズの一側に吸着する吸着層と、
装飾パターンを具え、上述のパターン層の一側に接続され、上述の吸着層を上述のコンタクトレンズとパターン層の間に位置させるパターン層と、
を包含し、上述のコンタクトレンズが装着されるとき、上述のパターン層の装飾パターンが瞳の虹膜位置に位置することを特徴とする、コンタクトレンズ用カラーパターンステッカー。
【請求項２】
上述のパターン層の一側に保護層が接続され、上述のパターン層は上述の吸着層と上述の保護層の間に介在することを特徴とする、請求項１記載のコンタクトレンズ用カラーパターンステッカー。
【請求項３】
上述のコンタクトレンズと上述の吸着層の接続方式は、上述の吸着層と上述のコンタクトレンズの間に発生する分子間の作用力、並びに化学結合或いは物理結合のいずれかにより相互に接続されることを特徴とする、請求項１記載のコンタクトレンズ用カラーパターンステッカー。
【請求項４】
上述の化学結合は、金属結合、イオン結合或いは共有結合のいずれかとされることを特徴とする、請求項３記載のコンタクトレンズ用カラーパターンステッカー。
【請求項５】
上述の物理結合は水素結合或いはファンデルワールス吸着のいずれかとされることを特徴とする、請求項３記載のコンタクトレンズ用カラーパターンステッカー。
【請求項６】
上述の吸着層は第１開口を具え、上述のパターン層は第２開口を具え、上述の第１開口と上述の第２開口が共同で上述のカラーパターンステッカーを貫通する貫通孔を形成し、上述の貫通孔は瞳の瞳孔位置に対応することを特徴とする、請求項１記載のコンタクトレンズ用カラーパターンステッカー。
【請求項７】
上述の吸着層と上述のコンタクトレンズが同じ材料で形成されていることを特徴とする、請求項１記載のコンタクトレンズ用カラーパターンステッカー。
【考案の詳細な説明】
【技術分野】
【０００１】
本考案はステッカーに係り、特にコンタクトレンズに組み合わせて使用されてコンタクトレンズの視力矯正機能に影響を与えないまま、コンタクトレンズの付加機能を増加するカラーパターンステッカーに関する。
【背景技術】
【０００２】
コンタクトレンズは、目の角膜上に装着され、視力を矯正するか目を保護するのに用いられるレンズである。コンタクトレンズは重いフレームとレンズはなく、体積が小さく、携帯に便利で、使用者の容貌外観に影響を与えない等の特徴があるため、使用上、負担を感じさせることがなく、また外観に影響を与えない。このため、コンタクトレンズは出現してから、各界で喜ばれており、特に若者と外観を重視する人は、コンタクトレンズの装着に換えて視力上の不足を補おうとしている。
【０００３】
時代の変化と技術が次第に成熟するにつれ、コンタクトレンズは視力矯正の機能のほか、使用者がカラーコンタクトレンズを装着することにより、瞳の色を修飾でき、瞳を大きくみせたり、瞳の色を修飾する効果を得られる。しかし、現在、市販されているカラーコンタクトレンズは構造上、カラーパターンはコンタクトレンズ内部に設けられており、このため、使用者がカラーコンタクトレンズの色や模様を変えたい場合は、別途にカラーコンタクトレンズを購入しなければならず、使用上の不便をもたらした。
【０００４】
このほか、周知のカラーコンタクトレンズは、もし瞳孔拡大及び視力矯正の機能を兼ね備える場合、往々にして販売価格が一般のコンタクトレンズよりも高くなり、販売価格が高くなると、使用者の購入意欲は低下する。
【０００５】
最後に、市場には周知のカラーコンタクトレンズを販売する多くのブランドがあり、使用者の個人の体質は異なるため、使用者らは快適に装着できるように、自分の好みのブランドを選択してカラーコンタクトレンズを装着する。しかし、そのブランドのカラーコンタクトレンズの色や模様が使用者の好みに合わず、ゆえに使用者が装着するブランドのカラーコンタクトレンズが往々にして使用者に快適さとパターンの美しさの両方の機能を提供することはできない場合がある。
【０００６】
これを鑑み、周知のカラーコンタクトレンズは未だ不足しているところがあり、周知のカラーコンタクトレンズを改良する必要があり、ゆえに、一般のコンタクトレンズに吸着可能なカラーパターンステッカーを創作し、一般のコンタクトレンズの視力矯正機能に影響を与えずに、カラーパターンステッカーにより一般のコンタクトレンズに虹膜の色と模様及び形状、大きさを変更する機能をもたせる。
【考案の概要】
【考案が解決しようとする課題】
【０００７】
本考案の主要な目的は、カラーパターンステッカーをコンタクトレンズ表面に吸着させることで、コンタクトレンズの視力矯正機能に影響を与えないまま、コンタクトレンズの付加機能を増加し、さらにコンタクトレンズを装着する時、使用者の瞳に、コンタクトレンズ表面に位置するカラーパターンステッカーにより、瞳の形状、大きさ及び色や模様を修飾する効果を達成させられるようにすることにある。
【０００８】
本考案の次の目的は、カラーパターンステッカーを中空円形リングの造形に設けてコンタクトレンズを瞳孔位置の局部エリアに対応させて、最良の透光率を保持できるようにすることにある。
【０００９】
本考案の別の目的は、パターン層の色素が直接瞳の角膜に接触しないようにし、使用者がコンタクトレンズをより安全に快適に装着できるようにすることにある。
【課題を解決するための手段】
【００１０】
上述の目的を達成するため、本考案は、コンタクトレンズ用カラーパターンステッカーを提供し、
それは、コンタクトレンズに組み合わせて使用され、上述のコンタクトレンズの一側に吸着し、並びに第１開口を具えた、吸着層と、
装飾パターンと第２開口を具え、上述の吸着層の一側に接続されて、上述の吸着層を上述のコンタクトレンズとパターン層の間に位置させ、上述の第１開口と第２開口が共同で上述のカラーパターンステッカーを貫通する貫通孔を形成する、パターン層と、
上述のパターン層の一側に接続されて、上述のパターン層を上述の吸着層と保護層の間に位置させる、上記保護層と、を包含する。
【００１１】
そのうち、上述のコンタクトレンズを装着するとき、上述のパターン層の装飾パターンは瞳の虹膜位置に対応し、上述のカラーパターンステッカーの貫通孔は、瞳の瞳孔位置に対応する。この好ましい実施例においては、上述のコンタクトレンズと上述の吸着層の接続方式は、上述の吸着層と上述のコンタクトレンズの間に発生する分子間の作用力を利用し、並びに化学結合或いは物理結合のそのうち一種により相互接続する。
【００１２】
上述の化学結合は、金属結合、イオン結合或いは共有結合のいずれかとされる。上述の物理結合は、水素結合或いはファンデルワールス力のいずれかとされる。上述の吸着層の材質と上述のコンタクトレンズの材質は同じとされる。
【考案の効果】
【００１３】
本考案の特徴は、吸着層により、カラーパターンステッカーをコンタクトレンズの表面に貼り付け、使用者がコンタクトレンズを装着するときに、パターン層の装飾パターンを瞳の虹膜位置に環状に設け、並びにパターン層の装飾パターンにより瞳の虹膜の形状、大きさ及びカラー及び模様を変更させて、使用者の瞳をより大きくより美しくみせることができることにある。
【００１４】
このほか、カラーパターンステッカーをコンタクトレンズ表面に吸着させるとき、コンタクトレンズはそれ自身の視力矯正機能に影響を受けないまま、パターン層の装飾パターンにより、コンタクトレンズは使用者の瞳の虹膜の色を変える機能を発生し、これによりコンタクトレンズの付加価値と実用性を増加する。
【００１５】
さらに、パターン層は吸着層と保護層の間に位置することにより、装飾パターンの色と模様は完全に表現され並びに色落ちすることがなく、装飾パターンの色素は瞳の角膜と直接接触せず、使用者がコンタクトレンズを装着するのに、より安全でより快適であるものとされる。
【００１６】
最後に、吸着層の第１開口と第２開口が共同で上述のカラーパターンステッカーを貫通する貫通孔を形成し、カラーパターンステッカーに中空環状の造形を形成させ、これにより、装着ときに、カラーパターンステッカーの貫通孔が瞳の瞳孔位置に対応し、これにより最良の透光率を保持する。
【図面の簡単な説明】
【００１７】
【図１】本考案の第１の好ましい実施例の表示図である。
【図２Ａ】図１の具体的実施の表示図である。
【図２Ｂ】図１の具体的実施の表示図である。
【図３Ａ】別の具体的実施の表示図である。
【図３Ｂ】別の具体的実施の表示図である。
【図４】本考案の第２の好ましい実施例の表示図である。
【図５Ａ】図４の具体的実施の表示図である。
【図５Ｂ】図４の具体的実施の表示図である。
【図６Ａ】図４の別の具体的実施の表示図である。
【図６Ｂ】図４の別の具体的実施の表示図である。
【図７】本考案の第３の好ましい実施例の表示図である。
【図８Ａ】図７の具体的実施の表示図である。
【図８Ｂ】図７の具体的実施の表示図である。
【図９Ａ】図７の別の具体的実施の表示図である。
【図９Ｂ】図７の別の具体的実施の表示図である。
【図１０】本考案の第４の好ましい実施例の表示図である。
【図１１Ａ】図１０の具体的実施の表示図である。
【図１１Ｂ】図１０の具体的実施の表示図である。
【図１２Ａ】図１０の別の具体的実施の表示図である。
【図１２Ｂ】図１０の別の具体的実施の表示図である。
【考案を実施するための形態】
【００１８】
以下に本考案の技術内容、構造特徴、達成する目的及び作用効果について、以下に例を挙げ並びに図面を組み合わせて詳細に説明する。
【００１９】
図１を参照されたい。本考案のコンタクトレンズ用カラーパターンステッカー１の第１の好ましい実施例は、吸着層１０及びパターン層２０で構成される。上述の吸着層１０の一側に、上述のパターン層２０が接続され、そのうち、上述の吸着層１０はハイドロジェルポリマー（ｈｙｄｒｏｇｅｌ  ｐｏｌｙｍｅｒｓ）材料或いはシリコンハイドロジェル（ｓｉｌｉｃｏｎｅ  ｈｙｄｒｏｇｅｌ）材料のいずれかに、さらに樹脂、橋かけ剤、開始剤、粘着剤、溶剤、添加剤、或いはその組み合わせ物のいずれかを混合して構成される。この実施例中、ハイドロジェルポリマー（ｈｙｄｒｏｇｅｌ  ｐｏｌｙｍｅｒｓ）材料は親水性の２−ヒドロキシエチルメタクリレート（２−ｈｙｄｏｒｏｘｙｅｔｈｙｌ  ｍｅｔｈａｃｒｙｌａｔｅ）、Ｎ−ビニルピロリドン（Ｎ−ｖｉｎｙｌ  ｐｙｒｒｏｌｉｄｏｎｅ）、及びメタクリル酸（ｍｅｔｈａｃｒｙｌｉｃ  ａｃｉｄ）で構成されたポリマーとされ、シリコンハイドロジェル（ｓｉｌｉｃｏｎｅ  ｈｙｄｒｏｇｅｌ）材料は、高酸素透過性のシリコンハイドロジェルモノマー及びＰＶＰ保湿因子（ｐｏｌｙｖｉｎｙｌｐｙｒｒｏｌｉｄｏｎｅ）で構成されたポリマーとされる。
【００２０】
上述のパターン層２０は装飾パターン２１を具え、上述のパターン層２０の装飾パターン２１は一種類の顔料或いは多種類の染料の、そのうち一種類で構成される。
【００２１】
図２Ａ及び図２Ｂに示されるように、第１の好ましい実施例を具体的に応用するとき、上述のカラーパターンステッカー１の吸着層１０はコンタクトレンズ２の外凸表面に吸着させられ、上述の吸着層１０が上述のパターン層２０と上述のコンタクトレンズ２の間に介在させられ、使用者が上述のコンタクトレンズ２を装着するとき、上述のコンタクトレンズ２の内凹表面は使用者の瞳の角膜と相互に接触し、上述のパターン層２０の装飾パターン２１は使用者の虹膜に環状に設けられ、使用者の虹膜を、上述のパターン層２０の装飾パターン２１により、虹膜の形状、大きさ、色及び模様を変え、使用者の瞳を大きくみせる効果を表現する。
【００２２】
この好ましい実施例中、上述のコンタクトレンズ２と上述の吸着層１０はいずれも親水性材料に属し、上述の吸着層１０が上述のコンタクトレンズ２の表面に吸着し上述のコンタクトレンズ２の表面も網状構造に属するため、上述の吸着層１０と上述のコンタクトレンズ２の間に分子間の作用力が発生し、及び、網状構造のリンクにより、上述の吸着層１０が上述のコンタクトレンズ２の外凸表面に吸着でき、これにより脱落しにくい効果を達成する。しかし、上述のコンタクトレンズ２と上述の吸着層１０がいずれも親水性の材料に属するのは、説明に便利とするためであり、これに制限されるわけではなく、すなわち、上述のコンタクトレンズ２の材質を上述の吸着層１０の材質と同じとすれば、上述の吸着層１０と上述のコンタクトレンズ２の分子間の作用力により、脱落しにくい効果を達成できる。
【００２３】
このほか、上述の吸着層１０と上述のコンタクトレンズ２の間に発生する分子間の作用力は、エネルギーが比較的小さい物理結合或いはエネルギーが比較的大きい化学結合のいずれかとされ得る。上述の物理結合、水素結合、ファンデルワールス吸着、或いはその組み合わせのいずれかとされ、上述の化学結合は、金属結合、イオン結合、共有結合或いはその組み合わせのいずれかとされる。上述のカラーパターンステッカー１の厚さは０．０４ｍｍを超過しないのがよく、最も好ましい厚さは、０．０３ｍｍを超過しないものとされる。
【００２４】
しかし、上述のカラーパターンステッカー１が上述のコンタクトレンズ２の外凸表面に吸着するのは、僅かに方法を説明するためのもので、上述のカラーパターンステッカー１の使用方式を制限するものではなく、すなわち、図３Ａと図３Ｂに示されるように、上述のカラーパターンステッカー１は上述のコンタクトレンズ２の内凹表面に吸着して、使用者が上述のコンタクトレンズ２を装着するときに、使用者の角膜が上述のパターン層２０に接触するものとされてもよい。
【００２５】
図４を参照されたい。本考案の第２の好ましい実施例の、第１の実施例との違いは、上述のカラーパターンステッカー１にさらに保護層３０が設けられていることにある。上述の保護層３０は上述のパターン層２０の、上述の吸着層１０と反対の表面に接続され、上述のパターン層２０が上述の吸着層１０と上述の保護層３０の間に位置させられ、これにより、上述のパターン層２０の装飾パターン２１の色彩が完全に表現され並びに色落ちしにくいものとされる。そのうち、上述の保護層３０は樹脂、橋かけ剤、開始剤、粘着剤、溶剤、添加剤、或いはその組み合わせのいずれかで構成される。上述の吸着層１０と上述のパターン層２０の両者間の構造態様は第１の好ましい実施例と同じであるため、重複した説明は行なわない。
【００２６】
図５Ａと図５Ｂを参照されたい。第２の好ましい実施例を具体的に応用するときは、第１の好ましい実施例と同じであり、いずれも、上述のカラーパターンステッカー１を上述のコンタクトレンズ２の外表面に吸着させて、上述の保護層３０が使用者が上述のコンタクトレンズ２を装着する過程中に、手が直接上述のパターン層２０の装飾パターン２１に接触して、上述のパターン層２０の装飾パターン２１の色が脱落する機会を防止し、それにより、上述のカラーパターンステッカー１の使用寿命を延長する。
【００２７】
上述のカラーパターンステッカー１が上述のコンタクトレンズ２の外凸表面に吸着するのは説明のためであり、上述のカラーパターンステッカー１の使用方式を限定するものではなく、すなわち、図６Ａと図６Ｂに示されるように、上述のカラーパターンステッカー１は上述のコンタクトレンズ２の内凹表面に吸着して、使用者が上述のコンタクトレンズ２を装着するときに、使用者の角膜が上述の保護層３０に接触するものとされてもよい。これにより、上述のパターン層２０の装飾パターン２１の色素は使用者の瞳の角膜に直接接触せず、並びに上述の装飾パターン２１の色素が使用者の瞳の角膜に脱落するのを防止でき、これにより使用者が上述のコンタクトレンズ２をより快適に装着できるものとしている。
【００２８】
図７を参照されたい。本考案の第３の好ましい実施例の、第１の実施例との違いは、上述のカラーパターンステッカー１の表面中央に、貫通孔４０を具えて、上述のカラーパターンステッカー１が中空環形の外観造形を形成していることにある。図示されるように、上述の吸着層１０は第１開口１１を具え、上述のパターン層２０は第２開口２２を具え、上述の第１開口１１と上述の第２開口２２が共同で上述の貫通孔４０を形成している。その他の同じ構造特徴についての重複した説明は行なわない。
【００２９】
図８Ａから図９Ｂを参照されたい。第３の好ましい実施例を具体的に応用するとき、第１の好ましい実施例との違いは、上述のカラーパターンステッカー１の吸着層１０が上述のコンタクトレンズ２の外凸表面或いは内凹表面に吸着させられるとき、上述のカラーパターンステッカー１の貫通孔４０が、使用者の瞳の瞳孔位置に対応し、これにより、使用者が上述のコンタクトレンズ２を装着するとき、上述のカラーパターンステッカー１の貫通孔４０により良好な透光性を達成でき、使用者の視線がより明晰でひずみのないものとなることにある。
【００３０】
図１０を参照されたい。本考案の第４の好ましい実施例の、第２の好ましい実施例との違いは、上述の吸着層１０が上述の第１開口１１を具え、上述のパターン層２０が上述の第２開口２２を具え、上述の保護層３０が第３開口３１を具え、上述の吸着層１０の第１開口１１、パターン層２０の第２開口２２及び保護層３０の第３開口３１が共同で、上述のカラーパターンステッカー１を貫通する貫通孔４０を形成することにある。その他の構造は第２の好ましい実施例と同じであるため、重複した説明は行なわない。
【００３１】
図１１Ａから図１２Ｂに示されるように、第４の好ましい実施例を具体的に応用するとき、第３の好ましい実施例を具体的に応用するのと同じであるため、重複した説明は行なわない。
【００３２】
総合すると、本考案は吸着層によりカラーパターンステッカーがコンタクトレンズの表面に吸着させられ、使用者がコンタクトレンズを装着するとき、パターン層の装飾パターンが瞳の虹膜位置に環状に設けられ、並びにパターン層の装飾パターンにより、瞳の虹膜の形状、大きさと色、模様が変えられ、使用者の瞳がより大きく、美しく見える。
【００３３】
このほか、カラーパターンステッカーがコンタクトレンズ表面に吸着させられるとき、コンタクトレンズはそれ自身の視力矯正機能が影響を受けないまま、パターン層の装飾パターンによりコンタクトレンズに使用者の虹膜の色を変えさせる機能を発生させ、これによりコンタクトレンズの付加価値と実用性を増加する。
【００３４】
さらに、パターン層は吸着層と保護層の間に位置し、装飾パターンの色と模様が完全に表現され並びに色落ちせず、装飾パターンの色素が瞳の角膜に直接接触しないため、使用者がコンタクトレンズを、より快適に、安全に装着できる。
【００３５】
最後に、吸着層の第１開口とパターン層の第２開口が共同でカラーパターンステッカーの貫通孔を形成して、カラーパターンステッカーに中空環状の造形を形成させ、これにより装着ときに、カラーパターンステッカーの貫通孔が瞳の瞳孔位置に対応し、これにより最良の透光率を保持でき、それにより使用者の視線がより明晰でひずみのないものとなる。
【００３６】
以上は本考案の好ましい実施例の説明に過ぎず、本考案を限定するものではなく、本考案に提示の精神より逸脱せずに完成されるその他の同等の効果の修飾或いは置換は、いずれも本考案の請求の範囲内に属する。
【符号の説明】
【００３７】
１  カラーパターンステッカー
１０  吸着層
１１  第１開口
２０  パターン層
２１  装飾パターン
２２  第２開口
３０  保護層
３１  第３開口
４０  貫通孔
２  コンタクトレンズ
【図１】
0003194754.tif 000003
【図２Ａ】
0003194754.tif 000004
【図２Ｂ】
0003194754.tif 000005
【図３Ａ】
0003194754.tif 000006
【図３Ｂ】
0003194754.tif 000007
【図４】
0003194754.tif 000008
【図５Ａ】
0003194754.tif 000009
【図５Ｂ】
0003194754.tif 000010
【図６Ａ】
0003194754.tif 000011
【図６Ｂ】
0003194754.tif 000012
【図７】
0003194754.tif 000013
【図８Ａ】
0003194754.tif 000014
【図８Ｂ】
0003194754.tif 000015
【図９Ａ】
0003194754.tif 000016
【図９Ｂ】
0003194754.tif 000017
【図１０】
0003194754.tif 000018
【図１１Ａ】
0003194754.tif 000019
【図１１Ｂ】
0003194754.tif 000020
【図１２Ａ】
0003194754.tif 000021
【図１２Ｂ】
0003194754.tif 000022
【手続補正書】
【提出日】平成26年10月7日(2014.10.7)
【手続補正１】
【補正対象書類名】実用新案登録請求の範囲
【補正対象項目名】請求項１
【補正方法】変更
【補正の内容】
【請求項１】
コンタクトレンズに組み合わせて使用されるコンタクトレンズ用カラーパターンステッカーにおいて、
上述のコンタクトレンズの一側に吸着する吸着層と、
装飾パターンを具え、パターン層の一側に接続され、上述の吸着層を上述のコンタクトレンズとパターン層の間に位置させるパターン層と、
を包含し、上述のコンタクトレンズが装着されるとき、上述のパターン層の装飾パターンが瞳の虹膜位置に位置することを特徴とする、コンタクトレンズ用カラーパターンステッカー。